(57)【特許請求の範囲】
【請求項１】
電動送風機を内蔵するとともにこの電動送風機に連通する集塵室を設けた電気掃除機本体において、集塵室の開口部を覆う蓋体の一端を本体略中央部分に回動自在に軸支し、前記集塵室の開口縁に対向する前記蓋体の少なくとも両側外周に段差部を設け、その段差部に少なくとも一部が重なるように本体略中央部、または前記蓋体の後方に回動自在に軸支した把手部を配置し、前記把手部の少なくとも一部が前記集塵室の開口縁の上方に位置するようにし、前記把手部の回動軸の軸受孔を略長円形にし、かつ蓋体と前記把手部とが互いに係止する係止部Ｂを蓋体に、前記係止部Ｂに係止する被係止部Ｂを前記把手部に設け、前記把手部と前記蓋体を同時に回動させるか、もしくは前記把手部とは別々に回動させるか選択できるように構成した電気掃除機。
【発明の詳細な説明】
【０００１】
【発明の属する技術分野】
本発明は、掃除機本体に設けられた把手部に関するものである。
【０００２】
【従来の技術】
従来の電気掃除機は、例えば特開平５ー４２０９２号公報に示されるのが一般的である。その構成について図１５を用いて説明する。前方に集塵室１１１、後方に電動送風機１１２等を内蔵した掃除機本体において、前記集塵室の開口部を覆う蓋体１１４の一端を本体の略中央部分に軸支し、本体後上面部に把手部１１３を本体の略中央部に軸支して保持する構成にて把手部１１３の側面及び後面が本体の外観の一部を形成している電気掃除機である。また、把手部を掃除機本体の前側に配置させた従来例として実公平３ー５４６８７号公報がある。その構成について図１６を用いて説明する。電動送風機１１５を内蔵すると共にこの電動送風機１１５に連通する集塵室１１６を内部に設けた掃除機本体において、前記集塵室の開口部を覆う蓋体１１７の一端を本体略中央部分に回動自在に本体に軸支し、かつ掃除機本体の両側面間に、少なくとも外周部分は軟質部材からなる把手部１１８とこの把手部１１８の両側からほぼ同方向へ屈曲し、前記蓋体１１７の外周もしくは本体の外周に配置される両側のアーム部１１９とで形成された略コ字形状の把手１２０を回動自在に本体に軸支し、前記掃除機本体の側面と前記把手１２０の内面とには互いに係合して前記把手１２０を前記掃除機本体に対し水平状態と垂直状態とに保持する係合突起と係合凹部（図示せず）とを前記掃除機本体と把手１２０とに設け、この把手１２０を水平状態に保持したときその把手部１１８が前記掃除機本体の前方の位置と（図１６の二点鎖線の位置）、また把手部１１８が掃除機本体の前面に密着する位置（図１６の実線の位置）とに選択自在であり、前記把手１２０を垂直状態に保持したときその把手部１１８が掃除機本体の上方に位置することを特徴とする電気掃除機である。
【０００３】
【発明が解決しようとする課題】
しかしながら、上記従来の構成において、蓋体１１４は掃除機本体の前方より回動し、把手部１１３は掃除機本体の後方より回動する従来の構成の場合、それぞれ手を掛ける位置が掃除機本体の前側と後側に離れており操作位置が異なるため使用性が悪い。また、把手１１７を掃除機本体の前側から回動するように構成した従来の掃除機本体では、把手と蓋体の回動の操作位置が同じであるため、掃除機本体の高さ方向に対しては高くなり外観が大きくなってしまう。また、把手は本体外郭の外周に突出するように配置しているため、掃除機本体の外観は横方向に大きくなってしまう。
【０００４】
本発明はこのような従来の課題を解決するものであり、掃除機本体の外観を小さくなるようにし、かつ把手部および蓋部の使用性を向上させた掃除機本体を提供することを目的とする。
【０００５】
【課題を解決するための手段】
上記課題を解決するために本発明は、  電動送風機を内蔵するとともにこの電動送風機に連通する集塵室を設けた電気掃除機本体において、集塵室の開口部を覆う蓋体の一端を本体略中央部分に回動自在に軸支し、前記集塵室の開口縁に対向する前記蓋体の少なくとも両側外周に段差部を設け、その段差部に少なくとも一部が重なるように本体略中央部、または前記蓋体の後方に回動自在に軸支した把手部を配置し、前記把手部の少なくとも一部が前記集塵室の開口縁の上方に位置するようにし、前記把手部の回動軸の軸受孔を略長円形にし、かつ蓋体と前記把手部とが互いに係止する係止部Ｂを蓋体に、前記係止部Ｂに係止する被係止部Ｂを前記把手部に設け、前記把手部と前記蓋体を同時に回動させるか、もしくは前記把手部とは別々に回動させるか選択できるように構成したものである。上記構成によって、前記蓋部の段差部分に前記把手部は収まり、かつ前記段差部は前記集塵室の開口縁の上部に位置させているため掃除機本体の外観は小さくなり、また、前記蓋部と前記把手部の手の掛ける位置が掃除機本体の前方に両方とも位置させるため操作箇所は一カ所に集中し、使用性は向上する。また、前記集塵室で紙袋に塵埃が満杯になっても紙袋がとどかない空間部分に前記段差部を設けることで集塵能力（集塵容積）に支障をきたすことはない。さらに、前記把手部を掃除機本体の前後方向に移動させることで、把手部と蓋体を一体にして回動、もしくは把手部のみ回動することが選択でき、蓋体及び把手部の操作が一カ所、一操作で可能となるため使用性が向上する。
【０００６】
【発明の実施の形態】
上記課題を解決するために本発明の請求項１記載の発明は、電動送風機を内蔵するとともにこの電動送風機に連通する集塵室を設けた電気掃除機本体において、集塵室の開口部を覆う蓋体の一端を本体略中央部分に回動自在に軸支し、前記集塵室の開口縁に対向する前記蓋体の少なくとも両側外周に段差部を設け、その段差部に少なくとも一部が重なるように本体略中央部、または前記蓋体の後方に回動自在に軸支した把手部を配置し、前記把手部の少なくとも一部が前記集塵室の開口縁の上方に位置するようにし、前記把手部の回動軸の軸受孔を略長円形にし、かつ蓋体と前記把手部とが互いに係止する係止部Ｂを蓋体に、前記係止部Ｂに係止する被係止部Ｂを前記把手部に設け、前記把手部と前記蓋体を同時に回動させるか、もしくは前記把手部とは別々に回動させるか選択できるように構成したものであり、これにより、前記蓋部の段差部分に前記把手部は収まり、かつその段差部は前記集塵室の開口縁の上方に位置するため、掃除機本体の外観は小さくなり、かつ前記集塵室で紙袋に塵埃が満杯になっても紙袋がとどかない空間部分に前記段差部を設けることで集塵能力（集塵容積）に支障をきたすことはない。また、前記蓋体と前記把手部の手の掛ける位置が掃除機本体の前方に両方とも位置するため、操作箇所が一カ所に集中することになり、掃除機の使用性が向上する。また、前記把手部を掃除機本体の前後方向に移動させることで、把手部と蓋体を一体にして回動、もしくは把手部のみ回動することが選択でき、蓋体及び把手部の操作が一カ所、一操作で可能となるため使用性が向上する。
【０００７】
【実施例】
（実施例１）
図１〜３において、電動送風機１を内蔵するとともにこの電動送風機１に連通する集塵室２を設けた電気掃除機本体３において、集塵室２の開口部を覆う蓋体４の一端を本体略中央部分に回動自在に軸支し、前記集塵室２の開口縁５に対向する前記蓋体４の少なくとも両側外周に段差部６を設け、その段差部６に少なくとも一部が重なるように本体略中央部、または前記蓋体４の後方に回動自在に軸支した把手部７を配置し、前記把手部７の少なくとも一部が前記集塵室２の開口縁５の上方に位置するようにした構成したものである。
【０００８】
上記構成によって、前記把手部７は前記蓋部４の段差部分６に重なるように収まり、かつその段差部６は前記集塵室２の開口縁５の上方に位置するように配置させても、図３に示すように、前記集塵室２で紙袋に塵埃が満杯になっても空間となる部分に前記段差部６を設けているため、その段差部６で集塵室２の空間が減ることによる集塵容積（ゴミを集塵する許容量の最大）に支障をきたすことはなく、よって、掃除機本体３は横方向に対して外観を小さくすることができる。また、前記蓋体４と前記把手部７の手の掛ける位置が掃除機本体の前方に両方とも位置するため、操作箇所が一カ所に集中することになり、掃除機の使用性が向上する。
【０００９】
（参考例１）
次に参考例１を図４を用いて説明する。なお、上記実施例と同一の箇所は説明を省略する。
【００１０】
図において、蓋体４と集塵室２の開口端部８とをエアータイトするパッキン９を前記開口端部８または前記蓋体４に配し、前記パッキン９の上方に段差部６を設けたものである。上記構成によって、実施例１と同様、集塵室２の空間において、集塵容積に支障をきたすことなく掃除機本体３の横方向に対して外観を小さくすることができる。
【００１１】
（参考例２）
次に参考例２を図５〜７を用いて説明する。なお、上記実施例、参考例と同一な箇所は説明を省略する。
【００１２】
図において、把手部７の軸部１０を軸支する軸受穴１１を蓋体４の側壁に設け、かつ前記軸部１０の位置は前記蓋体４の回動軸１２よりも低い位置に構成し（図５）、前記把手部７を掃除機本体３に対し略垂直状態に保持するように係止凹部１３を本体側に、前記把手部７に係止凸部１４を各々設け、かつ前記蓋体４の軸受穴１１は略長円形にし、前記把手部７を掃除機本体３に対し略垂直状態にした後、前記蓋体４を開口させる際、その蓋体４の回動に連動して略垂直状態で保持された前記把手部７が上下方向に移動するように構成したものである。
【００１３】
上記構成によって、前記蓋体４の軸位置よりも前記把手部７の軸位置が低いことにより、掃除機本体３は横方向で外観面に大きく曲面を形成できデザイン性が向上し、かつ本体中央よりも淵は低くなるため本体外観は小さく見えるようになる。また、上記構成では把手部７を略垂直状態に回動した後に蓋体４を開口すると、把手部７の軸支を蓋体４で行うため、前記把手部７は前記蓋体４の回動軸１２を中心とし蓋体４に連動して回動するため、軸支を丸軸と丸軸穴との構成では把手部７を略垂直状態で保持したまま蓋体４を回動させるための構成が困難となるが、把手部７を軸支する蓋体４に設けた前記軸受穴１１を略長円形にすることで、前記把手部７を略垂直状態にして前記蓋体４を開口しても把手部７は略垂直状態で上下方向に移動するため（図７）、把手部７が保持状態からはずれることはなく使用性を損なうことはない。
【００１４】
（参考例３）
次に参考例３を図８、９を用いて説明する。なお、上記実施例、参考例と同一な箇所は説明を省略する。
【００１５】
図において、上方へ回動されて略垂直状態に設けられた把手部７と開口した状態に保持された蓋体４との間に指が充分に入る程度の隙間を設けるよう、前記蓋部４の開口角を前記把手部７の略垂直状態の位置より前方にして前記蓋体４を保持するよう保持部１５を構成したものである。
【００１６】
上記構成によって、略垂直状態の把手部７と開口した蓋体４に充分な隙間があるため（図８）、指がスムーズに入り蓋体４のみを閉口する場合に使用性を損なうことはない。
【００１７】
（参考例４）
次に参考例４を図１０、１１を用いて説明する。なお、上記実施例、参考例と同一な箇所は説明を省略する。
【００１８】
図において、蓋体４を掃除機本体３に対し開口状態に保持する係止部Ａ１６を蓋体４に、前記係止部１６に係止する被係止部Ａ１７を本体側に設け、かつ前記蓋体４は前記開口保持状態からさらに上記把手部７の略垂直状態の位置までさらに回動するように、前記蓋体４の保持位置とストッパーの位置１８をズラした構成としたものである。
【００１９】
上記構成によって、前記蓋体４が開口保持状態（図１０の二点鎖線））からさらに回動するフリーな回動角（図１０の実線）を設けることとなり、塵埃の満杯になった紙袋を取り出す際、紙袋が前記蓋体４に当たっても蓋体４はフリーな回動角部分でさらに開口するので、紙袋が取り出しにくくなることはなく使用性を損なうことはない。
【００２０】
（実施例２）
次に実施例２を図１２、１３を用いて説明する。なお、上記実施例、参考例と同一な箇所は説明を省略する。
【００２１】
図において、把手部７の回動軸の軸受孔１９を略長円形にして前記把手部７が掃除機本体３の前後方向に移動するように構成し、かつ蓋体４と前記把手部７とが互いに係止するように前記蓋体４に係止凸部Ａ２０を、前記把手部７に係止凹部Ａ２１を設けたものである。
【００２２】
上記構成によって、前記把手部７を掃除機本体３に対し手前に引くことで、前記把手部７と蓋体４との係止部分がはずれ把手部７のみで回動し（図１２）、また、前記把手部７を手前に引かずに把手部７を回動させれば、前記把手部７と前記蓋体４は係止されているため一緒に回動することとなり（図１３）、把手部７のみの回動、もしくは把手部７と蓋体４を共に回動するという操作が選択することができ、蓋体４及び把手部７の操作が一カ所、一操作で可能となるため使用性が向上する。
【００２３】
【発明の効果】
上記実施例から明らかなように請求項１記載の発明によれば、蓋部の段差部分に把手部は収まり、かつその段差部は集塵室の開口縁の上方に位置させ、かつ集塵室で紙袋に塵埃が満杯になっても紙袋がとどかない空間部分に前記段差部を設けているので、集塵能力（集塵容積）に支障をきたすことはない。また、前記蓋体と前記把手部の手の掛ける位置が掃除機本体の前方に両方とも位置するため、操作箇所が一カ所に集中することになり、掃除機の使用性が向上する。さらに、把手部を掃除機本体の前後方向に移動させることで、把手部と蓋体を一体にして回動、もしくは把手部のみを回動することが選択でき、蓋体及び把手部の操作が一カ所、一操作で可能となるため使用性が向上する。
【図面の簡単な説明】
【図１】  本発明の実施例１を示す電気掃除機本体の斜視図
【図２】  同電気掃除機本体の断面図
【図３】  図２のＡ−Ａ断面図
【図４】  本発明の参考例１を示す集塵室の断面図
【図５】  本発明の参考例２を示す軸部分の断面図
【図６】  同電気掃除機本体の把手部略垂直状態での軸部の構成図
【図７】  同電気掃除機本体の蓋体開口時の軸部の構成図
【図８】  本発明の参考例３を示す保持部分の構成図
【図９】  同電気掃除機の把手部及び蓋体の開口状態図を示す断面図
【図１０】  本発明の参考例４を示す蓋体の保持及びストッパーの構成図
【図１１】  同電気掃除機本体の蓋体の動作を示す断面図
【図１２】  本発明の実施例２を示す把手部及び蓋体の構成図
【図１３】  同電気掃除機本体の把手部のみ回動時の状態図
【図１４】  同電気掃除機本体の把手部及び蓋体の回動時の状態図
【図１５】  従来の電気掃除機本体を示す断面図
【図１６】  別の従来の電気掃除機本体を示す斜視図
【図１７】  同電気掃除機の集塵室部分の断面図
【符号の説明】
１  電動送風機
２  集塵室
３  電気掃除機本体
４  蓋体
５  開口縁
６  段差部
７  把手部
８  開口端部
９  パッキン
１０  軸部
１１  軸受穴
１２  回動軸
１３  係止凹部
１４  係止凸部
１５  保持部
１６  係止部Ａ
１７  被係止部Ａ
１８  ストッパー位置
１９  軸受孔
２０  係止凸部Ａ
２１  係止凹部Ａ
【図１】
0003997600.tif 000002
【図２】
0003997600.tif 000003
【図３】
0003997600.tif 000004
【図４】
0003997600.tif 000005
【図５】
0003997600.tif 000006
【図６】
0003997600.tif 000007
【図７】
0003997600.tif 000008
【図８】
0003997600.tif 000009
【図９】
0003997600.tif 000010
【図１０】
0003997600.tif 000011
【図１１】
0003997600.tif 000012
【図１２】
0003997600.tif 000013
【図１３】
0003997600.tif 000014
【図１４】
0003997600.tif 000015
【図１５】
0003997600.tif 000016
【図１６】
0003997600.tif 000017
【図１７】
0003997600.tif 000018